(57)【特許請求の範囲】
【請求項１】
−第一の開口部（３）及び第二の開口部（４）を有する本体ユニット（２）；
−遠位端（７）が本体ユニットの内部に位置するように配置されるプランジャ（５）、ここでプランジャ（５）は、本体ユニット（２）に対して遠位方向に可動であり、プランジャ（５）の遠位端（７）が第一の連結エレメント（１５）を有し；
−針（９）を含む、近位端（１３）及び遠位端（１４）を備えるニードルアセンブリ（８）、ここでニードルアセンブリ（８）は、その近位端（１３）に位置する第二の連結エレメント（１６）を有する；
を含む、薬物送達デバイス（１）であって、
第一の及び第二の連結エレメント（１５、１６）の内少なくとも１つが、弾性的であり、そして凹面状であり、
ここで第一の連結エレメント（１５）および第二の連結エレメント（１６）が真空連結になるよう構成される
ことを特徴とする、上記薬物送達デバイス（１）。
【請求項２】
第一の及び第二の連結エレメント（１５、１６）の内少なくとも１つが栓である請求項１記載の薬物送達デバイス（１）。
【請求項３】
第一の及び第二の連結エレメント（１５、１６）の内１つが、弾性的であり、そして凸面状である請求項１又は２に記載の薬物送達デバイス（１）。
【請求項４】
第一の及び第二の連結エレメント（１５、１６）の内少なくとも１つが、硬質で、平面状である請求項１又は２に記載の薬物送達デバイス（１）。
【請求項５】
第一の及び第二の連結エレメント（１５、１６）が、一緒に圧迫されることによって、ニードルアセンブリ（８）をプランジャ（５）と組み合わせて真空連結になる請求項２〜４のいずれか１項に記載の薬物送達デバイス（１）。
【請求項６】
プランジャ（５）が後退するとき、ニードルアセンブリ（８）が少なくとも部分的に本体ユニット（２）内に引き戻されるよう構成される請求項５記載の薬物送達デバイス（１）。
【請求項７】
薬物送達デバイス（１）は、ニードルアセンブリ（８）がプランジャ（５）と真空連結になるとき、針（９）が本体ユニット（２）に対して動かないように構成される請求項５又は６に記載の薬物送達デバイス（１）。
【請求項８】
針（９）の近位端が第二の連結エレメント（１６）と心合わせされる請求項２〜７のいずれか１項に記載の薬物送達デバイス（１）。
【請求項９】
針（９）の近位端が、プランジャ（５）の方向に第二の連結エレメント（１６）から突出する請求項２〜７のいずれか１項に記載の薬物送達デバイス（１）。
【請求項１０】
第一の連結エレメント（１５）が、針（９）の近位端で密閉状態でシールするよう構成される請求項１〜９のいずれか１項に記載の薬物送達デバイス（１）。
【請求項１１】
第二の連結エレメント（１６）が、当初、本体ユニット（２）の内面と接触する位置に位置し、そして、本体ユニット（２）に対して近位方向に、本体ユニット（２）の内面と、もはや、接触しない位置まで可動である請求項１〜１０のいずれか１項に記載の薬物送達デバイス（１）。
【請求項１２】
薬物を含む請求項１〜１１のいずれか１項に記載の薬物送達デバイス（１）。
【発明の詳細な説明】
【技術分野】
【０００１】
本発明はニードルアセンブリの近位端及びプランジャの遠位端が真空連結になり得るように構成される薬物送達デバイスに関する。
【背景技術】
【０００２】
既存の薬物送達デバイスの問題点の１つは、例えば、後退可能な針を有する安全な注射器は、針がプランジャによって後退可能となるように、注射器のプランジャを針又はニードルアセンブリと如何にして連結するかである。
【発明の概要】
【発明が解決しようとする課題】
【０００３】
多くの薬物送達デバイス、特に、後退可能な針を有する安全な注射器は、プランジャが針又はニードルアセンブリを押す場合、一部が他部にはめ込み（snap  into）、及び両部分が機械的に連結されるような方法で構築されている。この場合、プランジャの内側及びニードルアセンブリの内側は、機械的複合物であるキーロック原理又はスナップオーバ原理で形成されなければならない。
【課題を解決するための手段】
【０００４】
本発明の一実施態様は、第一の開口部及び第二の開口部を有する本体ユニット、遠位端が本体ユニットの内側に位置するように配置されたプランジャを含む薬物送達デバイスに関し、ここで、プランジャは本体ユニットに対して遠位方向に可動であり、近位端及び遠位端を備えたニードルアセンブリは針を含み、ここで、ニードルアセンブリの近位端及びプランジャの遠位端は、真空連結になるように構成されている。
【０００５】
この発明に関連して、与えられたエレメントによって形成される定義された領域における圧力が、このエレメントの周囲の圧力と比較して低下していく「真空連結」によって理解される。
【０００６】
例えば、注射器、好ましくは、安全注射器であってもよい薬物送達デバイスは、本体ユニットを含む。本体ユニットは、薬物送達デバイスの主本体、自動注射器用カートリッジ、又は、例えば、円筒状に形成可能な、例えば、ペン型薬物送達デバイスであってもよい。本体ユニットは２つの開口部、第一の開口部及び第二の開口部を有し、それは、好ましくは本体ユニットの反対側に位置する。薬物送達デバイスは、更に、例えば、本体ユニットの外端に位置するプランジャの近位端を押すことによって、それが遠位方向に移動することができるように本体ユニットに対して配置されているプランジャを含む。薬物送達デバイスは、更に、ニードルアセンブリを含み、それによって、針それ自身は、ニードルアセンブリの一部である。針は外面及び内面を含み、それによって、内面は、液体がそれを通じて流入することができるチャンネルを形成している。ニードルアセンブリは近位端及び遠位端を有し、ここで、ニードルアセンブリの近位端は本体ユニットの内側に位置する。 ニードルアセンブリの近位端及びプランジャの遠位端は、それらが真空連結になることができるように構成されている。真空連結とは、これら２つの部分が一緒に押された場合、この２つの部分の間に空間があり、この空間の内部の圧力が、これら２つの部分及び空間の外部の圧力に比べて低下することを意味する。プランジャそれ自身が真空連結になるように形成され、又はプランジャが真空連結になることができる追加の部分を含む真空連結手段になるように、プランジャは構成されている。
【０００７】
別の実施態様において、プランジャの遠位端は、第一の連結エレメントを有し、それは、プランジャそれ自身の遠位端が連結エレメントとして形成され、又は連結エレメントがプランジャの遠位端に装着されることを意味する。
【０００８】
別の実施態様において、プランジャの遠位端は柔軟性材料を含む第一の連結エレメントを有する。
【０００９】
この第一の連結エレメントは、特に、ニードルアセンブリの近位端と真空連結になるように形成される。このために、第一の連結エレメントは柔軟性材料で作られ、それは、例えば、ゴム、又はゴムを含む材料で作られてもよい。この第一の連結エレメントは、少なくともエレメントの部分が変形可能であるように形成される。
【００１０】
別の実施態様において、ニードルアセンブリは、その近位端に位置する第二の連結エレメントを有する。
【００１１】
ニードルアセンブリの近位端は、本体ユニットの内側にあり、そして、プランジャの方向に向いている。好ましくは、第二の連結エレメントは、プランジャの第一の連結エレメントに向いている。好ましくは、第一の及び第二の連結エレメントは、互いに、それらの形状及びそれらの材料に適合している。従って、これら２つのエレメントは、２つの部品、ニードルアセンブリ、及びプランジャが、いかなるスナップ機構なしでも、強力に連結することができるように、強力な真空連結になることである。
【００１２】
別の実施態様において、少なくとも１つの第一の及び第二の連結エレメントは、栓（bung）である。
【００１３】
別の施態様において、第一のエレメントは栓である。
【００１４】
栓は、真空連結になるための理想的な必要条件である。それらは、柔軟性材料で作られ、変形可能であり、そして、それらは凹面状の表面を有するような方法で形成することができる。
【００１５】
別の実施態様において、第二の連結エレメントは栓である。
【００１６】
栓は、真空連結になるための理想的な必要条件である。それらは、特に、別の栓との真空連結になることができる。
【００１７】
別の実施態様において、少なくとも１つの第一の及び第二の連結エレメントは、弾性的であり、そして、それぞれの他のエレメントに対して凹面状である。
【００１８】
別の実施態様において、第一の連結エレメントは、真空連結になる側に凹面状に形成される。
【００１９】
凹面状に形成された第一の連結エレメントは、例えば、凹面状、凸面状、又は平面状に形成できるであろう他の連結エレメントと真空連結になることができる。凹面形体は、真空連結になるための連結エレメント用の柔軟性材料との組み合わせにおいて理想的である。
【００２０】
別の実施態様において、第二の連結エレメントは、弾性的で、それぞれの他のエレメントに対して凹面状である。
【００２１】
第二の連結エレメントは、例えば、第一の連結エレメントのように、柔軟性で、凹面状に形成できるであろう。これらの２つの連結エレメントを一緒に押すことによって、空間はこれら２つの連結エレメントの間で形成される。少なくとも流体の一部、例えば、液体、及び／又は、空気を空間から除去することによって、２つの連結エレメントの周囲と比較して、空間の圧力が低下することを観察することができる。
【００２２】
別の実施態様において、第一及び第二の連結エレメントは、他のエレメントに対して弾性的で、そして、凸面状である。
【００２３】
第二の連結エレメントは、また、特に、第一の連結エレメントが凸面状に形成される場合には、凸面状に形成されることができるであろう。同様に、他の方法では、第一の連結エレメントは、凸面状に形成され、そして、第二の連結エレメントは、凸面状に形成されることも可能である。凸面及び凹面の連結エレメントの組み合わせは、また、両連結エレメントが互いに押される場合、それらは真空連結になることを可能にする。
【００２４】
別の実施態様において、第一の及び第二の連結エレメントの少なくとも１つは、硬質で、平面状である。
【００２５】
第一の連結エレメントが凹面状に形成され、そして、柔軟性材料で作られている場合、第二の連結エレメントが、硬質で、平面状であることは、特別に可能である。それ故、凹面状に形成された第一の連結エレメントが、硬質で、平面状の第二の連結エレメントを押し、そして、第一の連結エレメントが柔軟性材料で作られる場合、第一の連結エレメントがその形状を平面状、又はほぼ平面状の形体に変更し得る。凸面状に形成された第一の連結エレメントを硬質で、平面状の第二の連結エレメントに押し付けることによって、２つの連結エレメント間の空間の体積が減少する。少なくとも一部の流体、例えば、液体、及び／又は、空気が、空間から、例えば、針を通して、又は連結エレメント間で形成されたシールを通過した漏洩によって、除去される場合、その時、１つ又は両方の連結エレメントの弾性的性質が、空間にその元の体積に戻る傾向を生じさせるので、空間内の圧力は低下する。従って、２つの連結エレメント間の空間の圧力は、空間の外側の圧力及び２つの連結エレメント間の圧力と比較して低下し、それ故に、真空連結が形成される。
【００２６】
別の実施態様において、第一の及び第二の連結エレメントは、一緒に押されることによって、ニードルアセンブリをプランジャと組み合わせた真空連結になる。
【００２７】
互いに押されることによって、２つの連結エレメントは、真空連結になり、それによって、ニードルアセンブリ及びプランジャは、キーロック機構のようなスナップ機構無しで組み合わせられる。それ故、ニードルアセンブリ及びプランジャは、端部で複雑な形状を含む複雑な部品を形成することなく連結することができるであろう。好ましくは、真空連結は２つの栓の間で形成される。
【００２８】
別の実施態様において、ニードルアセンブリは、プランジャが後退するとき、少なくとも一部は本体ユニット内に引き戻されるよう構成されている。
【００２９】
ニードルアセンブリは、ニードルアセンブリの後退力に対する抵抗は、真空連結の力より低い方法で構成されている。
【００３０】
従って、針及びニードルアセンブリは、薬物送達デバイスの最終使用後に、例えば、本体ユニット内に引き戻すことができ、それによって、例えば、針の遠位端での傷害リスクが低下する。
【００３１】
別の実施態様において、薬物送達デバイスは、ニードルアセンブリがプランジャと真空連結になり、そして、ニードルアセンブリがデバイス内に引き戻されるとき、針が本体ユニットに対して移動しないように構成されている。
【００３２】
ニードルアセンブリ及び針は、本体ユニットの内部に、例えば、それらが一旦後退位置まで戻ると、遠端端には移動できないような方法で配置することができるであろう。針及びニードルアセンブリは、プランジャが、更に、ニードルアセンブリの近位端に押されるとき、本体ユニットに対して遠位方向には移動できない。これは、傷害、例えば、針突き刺し傷害のリスクを低下させる。
【００３３】
別の実施態様において、針の近位端は、第二の連結エレメントと心合わせする。
【００３４】
針の近位端が第二の連結エレメントと心合わせする場合、例えば、平面状の第二の連結エレメントが形成し得る。この平面状の第二の連結エレメントは、容易に、例えば、凹面状に形成された第一の連結エレメントと真空連結になることができる。
【００３５】
別の実施態様において、針の近位端が、第二の連結エレメントからプランジャの方向に突出している。
【００３６】
また、ニードルアセンブリの近位端がこの方法で形成されるならば、プランジャの内側に位置する第一の連結エレメントは、第二の連結エレメントと真空連結になることができることが可能である。例えば、第一の連結エレメントは、第二の連結エレメントから突出している針のその部分と直接に第二の連結エレメントと真空連結になり、又は、第一の連結エレメントは、本体ユニットに近接した外側に位置する第二の連結エレメントのその部分と真空連結を形成できるであろう。
【００３７】
別の実施態様において、第一の連結エレメントは、針の近位端と密閉状態にシールするよう構成されている
【００３８】
第一の連結エレメントは、それが針の端部と直接真空連結になり得る方法で形成できるか、又は第二の連結エレメントと真空連結になり、そして、更に、針の端部と密閉状態にシールする方法で形成できる。第一の連結エレメントが、針の端部と密閉状態にシールするような方法で構成されている場合、例えば、空気のようなガスが、針チャンネルを通して外部から、第一の及び第二の連結エレメント間の空間に入り込むことは不可能である。例えば、２つの連結エレメント間の空間に空気が入り込むことが可能ならば、２つの連結エレメント間の空間内の圧力は上昇し、そして、真空連結の力は低下するであろう。
【００３９】
別の実施態様において、第一の連結エレメントは、第二の連結エレメントと真空連結になるように構成されている。
【００４０】
第一の及び第二の連結エレメントは、これら２つのエレメントが真空連結になることが可能なように互いに適合されている。
【００４１】
別の実施態様において、ニードルユニットは、本体ユニットに対して取り外し可能ではない。
【００４２】
本体ユニットに対して取り外し可能ではないということは、ニードルユニットが本体ユニットから離脱することができないことを意味するが、それは、また、ニードルユニットが本体ユニットに装着することができないことも意味する。ニードルユニットと本体ユニットは、従って、一部を形成するが、本体ユニットに対して針を備えたニードルユニットを移動させることは可能である。これは、例えば、ニードルユニット及びプランジャが真空連結した後、ニードルユニットが、プランジャによって、本体内へ引き戻されることを可能とする。
【００４３】
別の実施態様において、第二の連結エレメントは、当初は、本体ユニットの内面に接触する位置に位置し、そして、それが、もはや、本体ユニットの内面と接触しない位置へ近位方向に移動する。
【００４４】
別の実施態様においては、第二の連結エレメントは、当初は、本体ユニットの内面に接触する位置に位置し、そして、それが、もはや、本体ユニットの内面に接触しない位置へ、本体ユニットに対して近位方向に可動である。
【００４５】
本体ユニットが低下した内径を備えた部分を有し、ここで、第二の連結エレメントが初期位置に位置し、そして、第二の連結エレメントが本体ユニット内へ近位的に移動する場合、それはもはや、本体ユニットと接触しない位置に到達できる。第二の連結エレメントの直径は、本体ユニットの主直径のそれより小さい。従って、一旦第二の連結エレメントが、低下した内径のセクションと接触することを止めたとき、本体ユニットは、第二の連結エレメント及び針の近位移動に対して更なる抵抗を示さない。
【００４６】
更なる実施態様において、薬物送達デバイスは薬剤を含む。薬剤は、カートリッジ内に事前充填できるか、又は、薬物送達デバイスが注射器として設計されている場合、注射器内に事前充填できるであろう。
【００４７】
本明細書で使用する用語「薬物」は、少なくとも１つの薬学的に活性な化合物を含む薬学的処方品を意味し、
ここで一実施態様において、薬学的に活性な化合物は、最大１５００Ｄａの分子量を有し、及び／又は、ペプチド、蛋白質、多糖類、ワクチン、ＤＮＡ、ＲＮＡ、抗体、酵素、抗体、ホルモン若しくはオリゴヌクレオチド、又は上述の薬学的に活性な化合物の混合物であり、
ここで、更なる実施態様において、薬学的に活性な化合物は、糖尿病、又は糖尿病性網膜症などの糖尿病関連の合併症、深部静脈又は肺血栓塞栓症、急性冠症候群（ＡＣＳ）、狭心症、心筋梗塞、癌、黄斑変性症、炎症、枯草熱、アテローム性動脈硬化症、及び／又は、リューマチ性関節炎などの血栓塞栓症の処置、及び／又は、予防に有用であり、
ここで、更なる実施態様において、薬学的に活性な化合物は、糖尿病、又は糖尿病性網膜症などの糖尿病に関連する合併症の処置、及び／又は、予防のため、少なくとも１つのペプチドを含み、
ここで、更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセジン−３又はエキセジン−４、若しくはエキセジン−３又はエキセジン−４の類似体若しくは誘導体を含む。
【００４８】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２９位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００４９】
ヒトインスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；  Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）  ヒトインスリンである。
【００５０】
エキセンジン−４は、例えば、エキセンジン−４（１−３９）、配列ＨＨｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2のペプチドを意味する。
【００５１】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ2、
Ｈ−（Ｌｙｓ）５−ｄｅｓＰｒｏ３６，ｄｅｓＰｒｏ３７エキセンジン−４（１−３９）−ＮＨ2、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ2は、エキセンジン−４誘導体のＣ−末端と結合してもよく；
【００５２】
又は以下の配列のエキセンジン−４誘導体；
Ｈ−（Ｌｙｓ）６−ｄｅｓＰｒｏ３６［Ａｓｐ２８］エキセンジン−４（１−３９）−Ｌｙｓ６−ＮＨ2、
ｄｅｓＡｓｐ２８，Ｐｒｏ３６，Ｐｒｏ３７，Ｐｒｏ３８エキセンジン−４（１−３９）−ＮＨ2、
Ｈ−（Ｌｙｓ）６−ｄｅｓＰｒｏ３６，Ｐｒｏ３８［Ａｓｐ２８］エキセンジン−４（１−３９）−ＮＨ2、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2、
ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2、
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2、
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のエキセンジン−４誘導体のいずれか１つの薬学的に許容される塩若しくは溶媒和物；
から選択される。
【００５３】
ホルモンは、例えば、ゴナドトロピン（ホリトロピン、ルトロピン、コリオンゴナドトロピン、メノトロピン）、ソマトロピン  （ソマトロピン）、デスモプレッシン、テルリプレッシン、ゴナドレリン、トリプトレリン、ロイプロレリン、ブセレリン、ナファレリン、ゴセレリンなどの、Rote Liste、２００８年版、５０章に表示されているような脳下垂体ホルモン又は視床下部ホルモン又は規制活性ペプチド及びそれらのアンタゴニストである。
【００５４】
多糖類としては、例えば、ヒアルロン酸、ヘパリン、低分子量ヘパリン、又は超低分子量ヘパリン、若しくはそれらの誘導体などのグルコアミノグリカン、又は上述の多糖類のスルホン化された、例えば、ポリスルホン化形態、及び／又は、薬学的に許容可能なそれらの塩がある。ポリスルホン化低分子量ヘパリンの薬学的に許容される塩の例としては、エノキサパリンナトリウム塩がある。
【００５５】
薬学的に許容される塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されたＣ１−Ｃ６アルキル基；場合により置換されたＣ２−Ｃ６アルケニル基；場合により置換されたＣ６−Ｃ１０アリール基、又は場合により置換されたＣ６−Ｃ１０ヘテロアリール基である。薬学的に許容される塩の更なる例は、“Remington's Pharmaceutical Sciences”17編、Alfonso R.Gennaro（編集），Mark Publishing社，Easton, Pa., U.S.A.,1985 及び Encyclopedia of Pharmaceutical Technologyに記載されている。
【００５６】
薬学的に許容可能な溶媒和は、例えば、水和物である。
【００５７】
次の図は、本発明の薬物送達デバイスの幾つかの実施態様を説明するためのものである。
【図面の簡単な説明】
【００５８】
【図１】針の実施態様の模式的断面図を示す。
【図２】薬物送達デバイスの実施態様の模式的断面図を示す。
【図３ａ】薬物送達デバイスの切り抜き部の実施態様の模式的断面図を示す。
【図３ｂ】薬物送達デバイスの切り抜き部の実施態様の模式的断面図を示す。
【図４ａ】切り抜き部における薬物送達デバイスの別の実施態様の模式的断面図を示す。
【図４ｂ】切り抜き部における薬物送達デバイスの別の実施態様の模式的断面図を示す。
【図５ａ】６つの異なった使用段階における薬物送達デバイスの実施態様の模式的断面図を示す。
【図５ｂ】６つの異なった使用段階における薬物送達デバイスの実施態様の模式的断面図を示す。
【図５ｃ】６つの異なった使用段階における薬物送達デバイスの実施態様の模式的断面図を示す。
【図５ｄ】６つの異なった使用段階における薬物送達デバイスの実施態様の模式的断面図を示す。
【図５ｅ】６つの異なった使用段階における薬物送達デバイスの実施態様の模式的断面図を示す。
【図５ｆ】６つの異なった使用段階における薬物送達デバイスの実施態様の模式的断面図を示す。
【図６ａ】３つの異なった使用段階における薬物送達デバイスの別の実施態様の模式的断面図を示す。
【図６ｂ】３つの異なった使用段階における薬物送達デバイスの別の実施態様の模式的断面図を示す。
【図６ｃ】３つの異なった使用段階における薬物送達デバイスの別の実施態様の模式的断面図を示す。
【図７】第一の、及び／又は、第二の連結エレメントの実施態様の模式図を示す。
【図８ａ】３つの異なった使用段階における薬物送達デバイスの別の実施態様の模式的断面図を示す。
【図８ｂ】３つの異なった使用段階における薬物送達デバイスの別の実施態様の模式的断面図を示す。
【図８ｃ】３つの異なった使用段階における薬物送達デバイスの別の実施態様の模式的断面図を示す。
【発明を実施するための形態】
【００５９】
図１は針９の実施態様の模式的断面図を示す。針９はチャンネル１１を形成している内面１０を含む。更にその上、針９は外面１２及び遠位端１４を含む。遠位端１４は、好ましくは、先端が鋭くとがっている。針の近位端１３は、好ましくは、平坦である。
【００６０】
図２は薬物送達デバイス１の一実施態様の模式的断面図を示す。薬物送達デバイス１は、本体ユニット２及びニードルアセンブリ８を含む。ニードルアセンブリ８は、ニードルアセンブリ８の近位端に配置されている第二の連結エレメント１６が本体ユニット２内に位置し、そして針９が第二の開口部４を通して本体ユニット２から抜け出すような方法で本体ユニット２に対して位置する。薬物送達デバイス１は、更に、プランジャ５を含み、それによって、遠位端７は、本体ユニット２の内側に位置し、そして、プランジャ５の近位端６は、本体ユニット２の外側に位置する。プランジャ５は、その遠位端７で位置する第一の連結エレメント１５を含む。それ故、第一の連結エレメント１５及び第二の連結エレメント１６は、互いに面するように配置されている。プランジャ５は、第一の連結エレメント１５が第二の連結エレメント１６の方へ移動することができるように、本体ユニット２に対して遠位方向に可動である。更にその上、第一の連結エレメント１５が、第二の連結エレメント１６を押すことができよう。これら２つの連結エレメント１５、１６を押すことによって、これら２つの連結エレメントが真空連結になることができる。真空連結になった後、プランジャは、本体ユニットに対して近位方向に移動することができ、そして、本体ユニット２の内部へニードルアセンブリ８を引き戻すことができよう。
【００６１】
図３ａ／ｂは、薬物送達デバイスの部分の実施態様の模式的断面図を断面で示す。２つの図は、本体ユニット２、左側の針９のセクション、及び右側のプランジャ５のセクションを示す。針９の近位端に位置する第二の連結エレメント１６が示されている。第二の連結エレメント１６は、この実施態様において平面状に形成されている。針９の近位端は、この実施態様において、第二の連結エレメント１６と心合わせしている。プランジャ５の内側に位置する第一の連結エレメント１５は、この実施態様において凹面状に形成されている。第一の連結エレメント１５は、好ましくは、柔軟性材料で作られ、例えば、それは栓であってもよい。図３ｂは、プランジャ５が本体ユニット２に対して遠位方向に動かされるときの状況を示している。第一の連結エレメント１５及び第二の連結エレメント１６は互いに接触し、そして、針９の近位端は、第一の連結エレメント１５の表面に対して面シールによって密閉状態に、又はほぼ密閉状態にシールする。これは第一の及び第二の連結エレメント間の真空連結を形成する。従って、プランジャ５及びニードルアセンブリ８は、真空連結によって係合される。
【００６２】
図４ａ／ｂは、薬物送達デバイスの部分の別の実施態様を断面で示す。セクションは、前の本体ユニット２の図３ａ／ｂと同様に、左側に針９を備えたニードルアセンブリの近位端、及び右側にプランジャ５の遠位端を示す。この実施態様において、針９は、第二の連結エレメント１６から突出している。第一の連結エレメント１５は、針９の端部と密閉状態にシールすることができるように形成される。図４ｂは、プランジャ５が本体ユニット２に対して遠位方向に動かされるときの状況を示している。２つの連結エレメント１５、１６が、互いに接触している。第一の連結エレメント１５の内部は、針９の端部と密閉状態に、又はほぼ密閉状態にシールする。第一の連結エレメント１５の外部は、第二の連結エレメント１５と真空連結を形成する。第一の連結エレメント１５の内部は、いかなるガス、例えば、空気も、針９を通って外部から、２つの連結エレメント１５、１６間の空間へ動かされないことを確実にし、それが２つの連結エレメント１５、１６間のガス圧力を上昇させ、従って、真空連結を低下させ、弱くすることになる。針９の端部と第一の連結エレメント１５間の密閉状態の、又はほぼ密閉状態のシールの形成は、図３ｂで示す通り、針９の端部を受け入れるために設計されている連結エレメント１５の内部によって、又は第一の連結エレメント１５の表面に突き刺す針９の端部によって達成し得る。
【００６３】
また、針９が第二の連結エレメント１６と心合わせする可能性のある実施態様がある。
【００６４】
図５ａ〜５ｆは、６つの異なった使用段階において、注射器である薬物送達デバイス１の実施態様の模式的断面図を示す。
【００６５】
図５ａは、近位側で第一の開口部３、及び遠位側で第二の開口部４を備えた本体ユニット２を含む薬物送達デバイス１の実施態様の模式的断面図を示す。薬物送達デバイス１は、更に、針９及び第二の連結エレメント１６を含むニードルアセンブリ８を含む。薬物送達デバイス１は、更に、遠位端７及び近位端６を備えたプランジャ５を含む。プランジャ５の近位部分はスリーブ１８で取り囲まれている。スリーブ１８は、スナップアーム２１を含む。スリーブ１８とプランジャ５の間に位置する、加圧条件下で事前に圧縮されたスプリング１９がある。プランジャ５はその遠位端７で第一の連結エレメント１５を含む。液体１７は、第一の連結エレメント１５と第二の連結エレメント１６の間に位置し、例えば、事前充填された注射器の場合、液体には薬物を含むことがあり得る。図５ａは薬物送達デバイスを示し、それは、例えば、注射器、好ましくは、その出発位置では安全注射器であり得る。
【００６６】
図５ｂは、図５ａで示した薬物送達デバイスの中間段階の使用における薬物送達デバイス１の模式的断面図を示す。図５ｂにおいて、プランジャ５は本体ユニット２に対して遠位方向に押される。プランジャ５は、第一の及び第二の連結エレメント１５、１６が初めて接触するまで押される。
【００６７】
図５ｃは図５ａで示した薬物送達デバイス１の中間段階の使用における薬物送達デバイス１の模式的断面図を示す。更にプランジャ５を遠位方向に押すことによって、今、第一の及び第二の連結エレメント１５、１６が変形を始める。事前に凹面状である第一の及び第二の連結エレメント１５、１６の接面は、今、第二の連結エレメント１６の場合、遠位方向に押され、第一の連結エレメント１５の場合、近位方向に押される。スリーブスナップアーム２１は、プランジャロッドアーム２２を内側に押す。プランジャロッドアーム２２は、スリーブラッチ機構２３を内側に押す。
【００６８】
図５ｄは図５ａで示した薬物送達デバイス１の中間段階における薬物送達デバイス１の模式的断面図を示す。第一の及び第二の連結エレメント１５、１６は、今、それらが真空連結になり得るまで、一緒に押された。針９の近位端が密閉状態又はほぼ密閉状態のシールを形成する第一の連結エレメント１５の表面に突き刺す。スリーブスナップアームは本体ユニット２の凹部に封鎖する。従って、スリーブ１８は、今、本体ユニット２と連結し、そして、本体ユニット２に対して、もはや、移動できなくなる。プランジャ５のプランジャロッドラッチアーム２２は、スリーブラッチ機構２３から離れて変形状態に留まる。
【００６９】
図５ｅは図５ａで示した薬物送達デバイスの更なる中間段階の使用における薬物送達デバイス１の模式的断面図を示す。プランジャ５の近位端６から圧力を除去することによって、今、第一の及び第二の連結エレメント１５、１６は、第一の及び第二の連結エレメント１５、１６間の空間の体積が増加する元の凹面形状に戻る傾向にある。第一の及び第二の連結エレメント１５、１６は、未だ、それらの境界領域に接触し、そして、周囲に対して内側を密閉状態にシールする。針９の近位端は、第一の連結エレメント１５の表面に埋め込まれ、そして、密閉状態に、又はほぼ密閉状態にシールする。このため、いかなるガス又は液体も、第一の及び第二の連結エレメント１５、１６間の空間に入り込めない。従って、第一の及び第二の連結エレメント１５、１６の元の凹面形状へ戻る傾向は、それらの間で形成される真空連結を発生させる。この真空連結を通して、ニードルアセンブリ８はプランジャ５に連結する。
【００７０】
図５ｆは図５ａで示した薬物送達デバイスの更なる使用段階における薬物送達デバイスの模式的断面図を示す。図５ｆにおいて、プランジャ５は、事前に応力を受けたスプリング１９によって本体ユニット２に対して近位方向に引き戻された。全ての針９が本体ユニット２内に位置するまで針９は引き戻された。末端位置において、遠位端７はスリーブ１８と接触する。プランジャロッドスナップアーム２５は、スリーブ１８の遠位端表面の孔を通して通過するので、内側に変形する。プランジャロッドスナップアーム２５がスリーブ１８における孔から離れると、プランジャロッドスナップアーム２５は、スリーブ１８に対して、後部位置にプランジャ５を封鎖するために外側に曲がり、そして、針９を遠位方向へこれ以上移動することを阻止する。今、末端位置において、全てのニードルアセンブリ８及び全ての針９は本体ユニット２内に位置する。今、薬物送達デバイス１の使用者は針９による傷害から保護される。
【００７１】
図６ａ〜６ｃは、３つの異なった使用段階における薬物送達デバイス１の別の実施態様の模式的断面図を示す。
【００７２】
図６ａで示す薬物送達デバイス１の実施態様は、その遠位端で第二の開口部及びその近位端で第一の開口部３を含む。薬物送達デバイスは、更に、針９及び第二の連結エレメント１６を含むニードルアセンブリ８を含む。更に、薬物送達デバイス１は、近位端６及び遠位端７を備えたプランジャ５を含む。プランジャの遠位端７において、第一の連結エレメントが位置する。第一の及び第二の連結エレメント１５、１６の間で、例えば、薬物を含むことができる液体１７が位置する。第二の連結エレメント１６と第二の開口部４の間で、スプリング１９が位置する。スプリング１９と第二の連結エレメント１６の間で、スプリング保持体２０があり、それは、スプリング保持体２０が外れるまでスプリング１９を事前に圧縮された加圧状態に維持する。スプリング保持体２０は、スプリング保持体２０のラッチ機構の本体ユニット２の内側表面からの突起部２６との係合によって本体ユニットに相対する位置に保持される。
【００７３】
図６ｂは中間段階の使用における薬物送達デバイスの模式的断面図を示す。使用のこの段階において、プランジャは、第一の及び第二の連結エレメントが接触するまでまで近位方向に押された。第二の連結エレメント１６がスプリング保持体２０に対して押され、それは、突起部２６から外れ、そして圧縮されたスプリング１９を放出するような方法で変形する。この実施態様において、第一の及び第二の連結エレメント１５、１６間の真空連結は、後退スプリング１９の近位位置に起因して、針９の後退のためには必要ではない。しかし、第二の連結エレメント１６の形状の変化は、スプリング保持体２０の放出を引き起こすために必要とされる。
【００７４】
図６ｃは薬物送達デバイス１の使用の最終段階の断面図を概略的に示す。プランジャ５は、今度は、ニードルアセンブリ８全体及び針９全体が本体ユニット２によって完全に収納されるまでそれらが本体ユニット２に対して後退移動してしまうまで、スプリング１９によって近位方向に押し戻された。更なる機構（図示されていないが）は、針９の近位方向の移動とそれに続くプランジャ５の更なる圧迫を避けるために使用できる。例えば、機構は、後退した針を第二の開口部４と意図的に心ずれさせることを含む。
【００７５】
図７は連結エレメントの実施態様の模式的図を示す。図７で示す連結エレメントは、例えば、第一の連結エレメント１５用、及び／又は、第二の連結エレメント１６用として使用できる。図で示されたこの実施態様において、連結エレメントは栓である。栓は、例えば、ゴムで作ることができる。
【００７６】
図８ａ〜ｃは、薬物送達デバイスの部分の実施態様の概略の断面図を示す。３つの図は、低下した内径２７の部分を含む本体ユニット２、左側の針９の部分及び右側のプランジャ５の部分を示す。針９の近位端に位置する第二の連結エレメント１６を示す。第二の連結エレメント１６は、この実施態様において、平面状に形成される。第二の連結エレメント１６は、第一の連結エレメント１５の直径、及び本体ユニット２の主内部直径と比較してより小さい直径に形成される。針９の近位端は、この実施態様において第二の連結エレメント１６と心合わせする。プランジャ５の内側に位置する第一の連結エレメント１５は、この実施態様においては、凹面状に形成される。第一の連結エレメント１５は、好ましくは、柔軟性材料で作られ、それは、例えば、栓であってもよい。
【００７７】
図８ｂは、プランジャ５が本体ユニット２に対して遠位方向に移動するときの状況を示す。今、第一の連結エレメント１５及び第二の連結エレメント１６が互いに接触し、そして、針９の近位端は、第一の連結エレメント１５の表面に対して面シールで、密閉状態に、又はほぼ密閉状態にシールされる。これは、第一の及び第二の連結エレメント１５、１６間の真空連結を形成する。従って、プランジャ５及びニードルアセンブリ８は、今、真空連結手段によって係合される。
【００７８】
図８ｃは、プランジャ５がその後本体ユニット２に対して近位方向に移動するときの状況を示す。真空連結が、針９のニードルアセンブリ８及び第二の連結エレメント１６を、本体ユニット２内に針を引き戻す近位方向に移動させる。第二の連結エレメント１６が近位方向に本体ユニット２内に直ちに移動するので、縮小した内部直径２７を有する本体ユニット２の部分ともはや接触しない位置に到達する。第二の連結エレメント１６の直径は、本体ユニットの主直径より小さい。従って、第二の連結エレメント１６が低下した直径部分２７と接触しなくなると、本体ユニット２は、第二の連結エレメント１６及び針９の近位移動に対して更なる抵抗性を示さない。これは、例えば、図３ａ／ｂで示す実施態様と比較して、針９を本体ユニット２内へ引き戻すのに必要な力が大きく低下する意義のある利点を提供する。この力の低下の更なる利点は、第一の及び第二の連結エレメント１５、１６間の真空連結に対して作用する力が、今、なくなることである。これは真空連結が失敗するリスクを有意に減少させる。
【００７９】
参照リスト
１）薬物送達デバイス；
２）本体ユニット；
３）第一の開口部；
４）第二の開口部；
５）プランジャ；
６）近位端；
７）遠位端；
８）ニードルアセンブリ；
９）針；
１０）内面；
１１）チャンネル；
１２）外面；
１３）近位端；
１４）遠位端；
１５）第一の連結エレメント；
１６）第二の連結エレメント；
１７）液体；
１８）スリーブ；
１９）スプリング；
２０）スプリング保持体；
２１）スリーブスナップアーム；
２２）プランジャロッドラッチアーム；
２３）スリーブラッチ機構；
２４）凹部；
２５）プランジャロッドスナップアーム；
２６）突起部；
２７）縮小した内部直径部分；
【図１】
0005608687.tif 000002
【図２】
0005608687.tif 000003
【図３ａ】
0005608687.tif 000004
【図３ｂ】
0005608687.tif 000005
【図４ａ】
0005608687.tif 000006
【図４ｂ】
0005608687.tif 000007
【図５ａ】
0005608687.tif 000008
【図５ｂ】
0005608687.tif 000009
【図５ｃ】
0005608687.tif 000010
【図５ｄ】
0005608687.tif 000011
【図５ｅ】
0005608687.tif 000012
【図５ｆ】
0005608687.tif 000013
【図６ａ】
0005608687.tif 000014
【図６ｂ】
0005608687.tif 000015
【図６ｃ】
0005608687.tif 000016
【図７】
0005608687.tif 000017
【図８ａ】
0005608687.tif 000018
【図８ｂ】
0005608687.tif 000019
【図８ｃ】
0005608687.tif 000020